(57)【要約】【課題】遊技媒体貸出装置の動作不良時に他の遊技媒体貸出装置で記録媒体を発行する場合に、自動で払出された遊技媒体を運ぶという煩わしい思いを回避することができる遊技媒体貸出システムを提供する。【解決手段】計数貸出ユニット２は、従業員が携帯するリモコン２７から自動払出の中止を示す信号を受信した後に高額紙幣が投入されたときには、単位金額分の自動払出を中止し、投入金額の全てをカードに記録して発行する。これにより、緊急避難的に他の計数貸出ユニット２でカードを発行するときであっても、遊技媒体が払出されてしまうことがなく、煩わしい思いをしなくて済むとともに、遊技者による返却操作が無くても即座にカードを発行することができるので、使用勝手に優れている。【選択図】図１
2015205080.tif 000002
【特許請求の範囲】
【請求項１】
複数の遊技機それぞれに対応して設けられ、投入された紙幣の金額、及び投入された記録媒体に記録されている金額の範囲内で遊技媒体を払出す遊技媒体貸出装置と、従業員が携帯し、当該遊技媒体貸出装置に対して所定の指令信号を送信可能な携帯端末装置と、を備えた遊技媒体貸出システムにおいて、
前記遊技媒体貸出装置は、
投入口から投入された紙幣の真偽及び金額を判定し、当該紙幣が偽であると判定したときは投入口から返却する一方、当該紙幣が真であると判定したときは収容する紙幣処理手段と、
投入された記録媒体に記録されている金額を読取るとともに、未使用の金額を示す残金額を記録媒体に記録する記録媒体処理手段と、
前記遊技媒体の払出を指示するために遊技者が操作する払出操作手段と、
前記記録媒体の返却を指示するために遊技者が操作する返却操作手段と、
前記紙幣処理手段が紙幣を収容したときに、予め設定された単位金額に相当する数の遊技媒体を自動的に払出す自動払出処理を実行する第１払出手段と、
前記払出操作手段の操作に応じて、前記単位金額に相当する数の遊技媒体を払出す手動払出処理を実行する第２払出手段と、
前記第１払出手段及び第２払出手段による払出に応じて残金額を更新する残金額更新手段と、
前記返却操作手段の操作に応じて、前記残金額を記録した記録媒体を発行する発行手段と、を備え、
前記携帯端末装置は、前記第１払出手段による自動払出処理を禁止するための自動払出禁止指令信号を送信可能に構成され、
前記遊技媒体貸出装置は、前記携帯端末装置から自動払出禁止指令信号を受信したときには、前記第１払出手段による自動払出処理を禁止することを特徴とする遊技媒体貸出システム。
【請求項２】
前記発行手段は、前記携帯端末装置から自動払出禁止指令信号を受信したときには、前記紙幣処理手段が収容した紙幣の金額全てを前記返却操作手段の操作に関係なく記録媒体に記録して発行することを特徴とする請求項１記載の遊技媒体貸出システム。
【請求項３】
前記遊技媒体貸出装置は、前記携帯端末装置から自動払出禁止指令信号を受信した後、前記発行手段が記録媒体を発行したときには前記第１払出手段による自動払出処理の禁止を解除することを特徴とする請求項１または２記載の遊技媒体貸出システム。
【発明の詳細な説明】
【技術分野】
【０００１】
本発明は、投入された紙幣の金額、及び投入された記録媒体に記録されている金額の範囲内で遊技媒体を払出す遊技媒体貸出装置を備えた遊技媒体貸出システムに関する。
【背景技術】
【０００２】
昨今の遊技場における遊技機（パチンコ台、スロットマシン）は、例えば特許文献１に記載されているように、１対１で貸出ユニットが付設され、その貸出ユニットに貨幣を投入して遊技媒体（玉、メダル）の貸出を受けるように構成されている。投入可能な貨幣は１千円〜１万円の紙幣が一般的であり、紙幣を投入すると、単位金額（例えば５００円）分の遊技媒体が払出されるとともに、残った金額が記録媒体に記録されることになる。遊技を終了するときに残金額があればそれを記録媒体に記録して発行し、精算機で払戻すという運用が一般的である。
【先行技術文献】
【特許文献】
【０００３】
【特許文献１】特開２００７−３７７０２号公報
【発明の概要】
【発明が解決しようとする課題】
【０００４】
ところで、貸出ユニットに紙幣を投入したときに、紙幣鑑別器の読取不良が原因で紙幣が受付けられずに戻されてしまうことがある。そのような場合には、遊技者が従業員を呼出して読取不良を解消してもらうことになるが、その作業が完了するまで遊技者を待たせるわけにもいかないので、従業員が他の空いている遊技機の貸出ユニットへ紙幣を投入して記録媒体を発行し、遊技者に手渡すという対応をするのが一般的である。ただし、他の遊技機の貸出ユニットへ紙幣を投入した際には単位金額分の遊技媒体が自動で払出されてしまうので、その払出されてしまった遊技媒体を自らの手で移す作業をしなければならず、非常に煩わしいという問題があった。
【０００５】
本発明は上記事情に鑑みてなされたもので、その目的は、遊技媒体貸出装置の動作不良時に他の遊技媒体貸出装置で記録媒体を発行する場合に、自動で払出された遊技媒体を運ぶという煩わしい思いを回避することができる遊技媒体貸出システムを提供することにある。
【課題を解決するための手段】
【０００６】
本発明は、複数の遊技機それぞれに対応して設けられ、投入された紙幣の金額、及び投入された記録媒体に記録されている金額の範囲内で遊技媒体を払出す遊技媒体貸出装置と、従業員が携帯し、当該遊技媒体貸出装置に対して所定の指令信号を送信可能な携帯端末装置と、を備えた遊技媒体貸出システムにおいて、
前記遊技媒体貸出装置は、投入口から投入された紙幣の真偽及び金額を判定し、当該紙幣が偽であると判定したときは投入口から返却する一方、当該紙幣が真であると判定したときは収容する紙幣処理手段と、投入された記録媒体に記録されている金額を読取るとともに、未使用の金額を示す残金額を記録媒体に記録する記録媒体処理手段と、前記遊技媒体の払出を指示するために遊技者が操作する払出操作手段と、前記記録媒体の返却を指示するために遊技者が操作する返却操作手段と、前記紙幣処理手段が紙幣を収容したときに、予め設定された単位金額に相当する数の遊技媒体を自動的に払出す自動払出処理を実行する第１払出手段と、前記払出操作手段の操作に応じて、前記単位金額に相当する数の遊技媒体を払出す手動払出処理を実行する第２払出手段と、前記第１払出手段及び第２払出手段による払出に応じて残金額を更新する残金額更新手段と、前記返却操作手段の操作に応じて、前記残金額を記録した記録媒体を発行する発行手段と、を備え、前記携帯端末装置は、前記第１払出手段による自動払出処理を禁止するための自動払出禁止指令信号を送信可能に構成され、前記遊技媒体貸出装置は、前記携帯端末装置から自動払出禁止指令信号を受信したときには、前記第１払出手段による自動払出処理を禁止するものである（請求項１）。
【０００７】
請求項１記載の遊技媒体貸出システムにおいて、
前記発行手段は、前記携帯端末装置から自動払出禁止指令信号を受信したときには、前記紙幣処理手段が収容した紙幣の金額全てを前記返却操作手段の操作に関係なく記録媒体に記録して発行するようにしてもよい（請求項２）。
【０００８】
請求項１または２記載の遊技媒体貸出システムにおいて、
前記遊技媒体貸出装置は、前記携帯端末装置から自動払出禁止指令信号を受信した後、前記発行手段が記録媒体を発行したときには前記第１払出手段による自動払出処理の禁止を解除するようにしてもよい（請求項３）。
【発明の効果】
【０００９】
請求項１の発明によれば、紙幣の読取不良が原因で他の遊技機の遊技媒体貸出装置で記録媒体を発行するときは、従業員が携帯端末装置を操作して自動払出禁止指令を送信したうえで紙幣を投入することにより、遊技媒体が自動で払出されることなく投入した金額を全て残金額として記録した記録媒体を発行することができる。したがって、緊急避難的に他の遊技媒体貸出装置で記録媒体を発行するときであっても、遊技媒体が払出されてしまうことがなく、煩わしい思いをしなくて済む。
【００１０】
請求項２の発明によれば、遊技媒体貸出装置が携帯端末装置から自動払出禁止指令を受信したときには、遊技者或いは従業員による返却操作が無くても即座に記録媒体を発行することができるので、使い勝手に優れている。
【００１１】
請求項３の発明によれば、遊技媒体貸出装置が記録媒体を発行した後は自動払出の禁止を自動的に解除して自動払出を実行する状態へ復帰することができるので、復帰操作が不要であり、従業員の負担を軽減することができる。
【図面の簡単な説明】
【００１２】
【図１】一実施形態における遊技場用管理システムの全体構成を示す概略図
【図２】遊技機及び計数貸出ユニットを概略的に示す正面図
【図３】計数貸出ユニットの構成を示す機能ブロック図
【発明を実施するための形態】
【００１３】
以下、本発明の一実施形態について図面を参照して説明する。
図１は、遊技場用管理システムの全体構成を示す概略図である。遊技場内には複数の遊技機１が設置されており、各遊技機１に対応して計数貸出ユニット２（遊技媒体貸出装置に相当）が設置されている。これら遊技機１及び計数貸出ユニット２は、中継端末３及びＬＡＮ４を介して管理装置５と接続されている。
【００１４】
遊技場には景品交換端末（以下、ＰＯＳ）６及び精算装置７も設置されており、ＬＡＮ４を介して管理装置５と接続されている。ＰＯＳ６は、付属するカードリーダライタ８により読取った一般カード９（記録媒体に相当。図３参照）或いは会員カード１０（記録媒体に相当。図３参照）により特定される遊技価値（持玉数・貯玉数）に基づいて景品交換処理を実行する。精算装置７は、一般カード９又は会員カード１０がカード挿入口１１に挿入されると、挿入されたカード９，１０に記録されている入金残高をカードリーダ（図示せず）により読取り、その読取った入金残高に対応する紙幣や硬貨を返却口１２から返却する。
尚、ＰＯＳ６及び精算装置７においてカード９，１０に記録されている遊技価値を取扱うときは、管理装置５がカード９，１０に対応して予め記憶している遊技価値と照合し、真であると判定したことを条件として遊技価値の取扱いを有効とする。
【００１５】
管理装置５は、遊技場内の例えば事務室等に設置されており、遊技場の管理者が操作するキーボード１３、モニタ１４、図示しないプリンタ等が接続されている。尚、図１では図示を省略したが、実際には例えば数百台の遊技機１が管理装置５の管理対象となっている。
【００１６】
管理装置５は、遊技場内に設置された遊技機１、計数貸出ユニット２、ＰＯＳ６等の稼動状況を管理すると共に、遊技機（遊技機１、計数貸出ユニット２等）側からの信号に基づいて遊技者毎の遊技価値（持玉数・貯玉数）と、入金残高とを記憶管理する。尚、持玉とは当日中に計数した玉であり、貯玉とは前日以前に計数した玉である。
【００１７】
図２は遊技機１及び計数貸出ユニット２を概略的に示す正面図である。遊技機１はＣＲパチンコ機であり、盤面１５に玉を発射する発射装置を構成する操作ハンドル１６、上部受皿１７、下部受皿１８を有すると共に、盤面１５に、液晶表示部１９、始動口２０、大入賞口２１を有する。遊技者が操作ハンドル１６を操作すると、玉（遊技媒体）が盤面１５に発射され、その玉が始動口２０に入賞すると、その入賞に応じた数の玉を払出したり大当たり抽選を行ったりする。大当たり抽選では、液晶表示部１９において所謂特別図柄（特図）による図柄変動を実行し、停止表示された図柄が大当たり図柄の場合に大当たりが発生する。大当たりが発生すると、例えば１５ラウンド分だけ大入賞口２１を開放する。
尚、遊技機１は、遊技者による遊技が進行することに応じて、打込んだ玉の数である投入媒体数を特定可能なアウト信号、払出された玉の数である払出媒体数を特定可能なセーフ信号、大当たり状態を特定可能な大当たり信号等の各種の遊技信号を出力する。
【００１８】
計数貸出ユニット２は、現在の運用状態（正常状態、エラー状態など）を示す状態表示部２２、紙幣が投入される紙幣投入口２３、遊技者からの操作入力を受付けると共に遊技の進行に伴って図柄変動回数（スタート回数）や大当たり確率等の遊技データを表示するタッチパネル式の液晶表示部２４、１単位分（５００円相当）の玉を払出すための払出ボタン２５（払出操作手段に相当）、払出された玉が通過する払出ノズル２６、従業員が携帯する従業員リモコン２７（携帯端末装置に相当）からの光信号を受信するリモコン受光部２８、一般カード９或いは会員カード１０が挿入されるカード挿入口２９、遊技機１の下部受皿１８の下方に位置する着脱可能な計数受皿３０等を備えている。
【００１９】
一方、遊技機１には貸出ボタン３１及び返却ボタン３２（返却操作手段に相当）が設けられており、計数貸出ユニット２は、貸出ボタン３１に対する操作に応じて貸出処理を実行し、返却ボタン３２に対する操作に応じてカード発行処理を実行する。つまり、計数貸出ユニット２は、入金残高の範囲内で玉（遊技媒体）の貸出処理を行うと共に、遊技機１の下部受皿１８から払出される玉（遊技価値）を受入れて計数し、入金残高及び持玉数（計数玉数）を一般カード９又は会員カード１０に記録して発行する。一般カード９を受付けたときは、入金残高及び持玉数を表示すると共にそれらの範囲内で貸出・返却処理を行う。会員カード１０を受付けたときは、入金残高及び持玉数を表示すると共に暗証番号の入力を条件として貯玉数を表示し、それらの範囲内で貸出・返却処理を行う。
【００２０】
図３は、計数貸出ユニット２の構成を示す機能ブロック図である。計数貸出ユニット２は、ＣＰＵ３３ａ、ＲＯＭ３３ｂ、ＲＡＭ３３ｃ、Ｉ／Ｏ３３ｄを有するマイクロコンピュータにより構成される制御部３３（記録媒体処理手段、第１払出手段、第２払出手段、残金額更新手段、発行手段に相当）、当該制御部３３と接続された周辺部を備えて構成されている。周辺部としては、管理装置５及び遊技機１との間で各種信号や各種情報を送受信するＩ／Ｆ部３４、紙幣投入口２３に投入された紙幣の真贋を判定する紙幣処理部３５（紙幣処理手段に相当）、液晶表示部２４、当該液晶表示部２４上に設けられたタッチパネル３６、カード挿入口２９に挿入されたカード９，１０に記録されている各種情報を読取ったり、書込んだりする所定位置としてのカードリーダライタ３７、最大１０枚の一般カード９をストック可能なカードストック部３８、払出ボタン２５、当該払出ボタン２５が操作されたときに、１単位分（例えば５００円分）の玉を払出ノズル２６から払出す払出部３９、計数受皿３０から流入する玉数を計数する計数部４０等である。
【００２１】
一般カード９及び会員カード１０にはＩＣチップ９ａ，１０ａがそれぞれ内蔵されており、ＩＣチップ９ａ，１０ａには一般ＩＤ、会員ＩＤがそれぞれ記憶されている。これらのカード９，１０は、計数貸出ユニット２に入金された入金金額（残高情報）や持玉数を特定するための持玉情報を特定するための記録媒体である。一般カード９は当日限り有効で、入金残高及び持玉数を記録可能である。会員カード１０は、予め設定されている有効期限（例えば３年間）まで有効であり、入金残高を記録可能である一方、持玉数・貯玉数は管理装置５のみに記憶する。
【００２２】
計数貸出ユニット２は、以下に示す機能を備えている。
（１）紙幣投入口２３に投入された紙幣の金額（１０００円単位）を記憶すると共に、投入金額（入金残高）を液晶表示部２４に表示した後、１度数（５００円）に相当する数の玉（１２５玉）を遊技機１内部の払出機構から自動的に払出す。このとき、遊技機１から計数貸出ユニット２に１度数分の玉を払出したことを示す信号が出力されるので、液晶表示部２４に表示されている入金残高から１度数に相当する金額（５００円）を減額すると共に売上信号を出力する。この売上信号は１度数の玉の払出し毎に１パルスが出力されるので、１パルスを５００円分の売上額として特定する。
【００２３】
（２）遊技機１に設けられた貸出ボタン３１の操作に応じて入金残高の範囲内で１度数（５００円）に相当する数の玉（１２５玉）を遊技機１内部の払出機構から払出す。
（３）遊技機１の下部受皿１８から落下して計数受皿３０で受けられた玉が計数部４０に流入することで玉数を計数して液晶表示部２４に表示する。
【００２４】
（４）払出ボタン２５の操作に応じて計数玉数（持玉数）又は貯玉数（会員遊技者の場合）の範囲内で１度数（１２５玉）ずつ払出す。
（５）遊技機１に設けられた返却ボタン３２に対する操作に応じて入金残高及び持玉数をカード挿入口２９に挿入されている一般カード９に記録して発行する。会員カード１０が挿入されている場合は、入金残高を会員カード１０に記録すると共に暗証番号の入力を条件として持玉数を管理装置５に送信してから会員カード１０を発行する。カード９，１０を発行する場合は、発行情報を管理装置５へ送信し、管理装置５側にも記憶する。尚、カード挿入口２９に一般カード９も会員カード１０も挿入されていない場合は、カードストック部３８にストックしている一般カード９を図示しない記録媒体移動手段によりカードリーダライタ３７に繰出（セット）して入金残高及び持玉数を記録して発行する。また、入金残高及び持玉数とも０となった場合は、カードリーダライタ３７にセットされた一般カード９を記録媒体移動手段によりカードストック部３８に回収する。
【００２５】
（６）一般カード９がカード挿入口２９に挿入された場合は、一般カード９に記録されている入金残高及び持玉数をカードリーダライタ３７により読出して液晶表示部２４に表示する。会員カード１０が挿入された場合は、会員カード１０に記録されている入金残高を読出して液晶表示部２４に表示すると共に暗証番号の入力を条件として管理装置５の会員口座に記憶されている貯玉数（当日貯玉数・前日貯玉数）も表示する。当日貯玉数とは当日貯玉された貯玉数であり、前日貯玉数とは前日までの貯玉数である。営業終了後は、当日貯玉数は前日貯玉数に合算して記憶される。遊技者による払出操作に応じて貯玉数の範囲内で１度数分の玉を払出ノズル２６から払出す。
【００２６】
（７）液晶表示部２４に対する操作入力に応じて対応する遊技機１或いは指定された他の遊技機１の遊技データを表示したり、遊技場からのメッセージを表示したり、遊技者が会員遊技者であることが特定された場合は遊技機１の遊技データを表示する。
【００２７】
管理装置５は、記憶しているコンピュータプログラムにしたがって作動し、遊技機１の稼動状況を示す遊技データを表示する遊技情報表示サービス、並びに遊技者が遊技により獲得した遊技媒体を一旦貯蓄し、当日或いは後日遊技に再利用できるようにする貯玉サービスを実行可能となっている。これらのサービスを実行するために、遊技機１や計数貸出ユニット２等から入出力部に入力される遊技信号に基づいて、遊技機１の稼動状態を特定して遊技機１毎に遊技データを管理するようになっている。
【００２８】
遊技機１毎に管理する遊技データは次の通りである。
・アウト
・セーフ
・差玉＝セーフ−アウト
・出玉率＝セーフ÷アウト
・大当たり確率＝大当たり回数÷スタート回数
【００２９】
次に、上記構成の作用について説明する。
遊技者が計数貸出ユニット２に紙幣を投入すると、計数貸出ユニット２は、投入された紙幣の金額を記憶すると共に、貸出可能な度数（１度数＝１２５玉）を液晶表示部２４に表した後、１度数分の玉を遊技機内部の払出機構から自動的に払出す。そして、遊技者が更に玉の貸出を受けるために遊技機１の貸出ボタン３１を押下げると、貸出ボタン３１に対する操作に応じて１度数ずつ遊技機内部の払出機構から玉を払出す貸出処理を実行する。一方、会員遊技者が貯玉を有している場合は、払出ボタン２５に対する操作により１単位分の玉を払出ノズル２６から払出す払出処理を実行する。
【００３０】
遊技者が遊技機１で獲得した玉を計数する場合は、遊技機１の下部受皿１８から玉を落下させる。落下した玉は計数貸出ユニット２の計数受皿３０で受けられて計数貸出ユニット２内に流入し、計数部４０にて計数される。計数貸出ユニット２は、計数部４０で玉を計数すると、計数玉数を持玉数として液晶表示部２４に表示する。払出ボタン２５により持玉の払出操作が行われると、持玉数の範囲内で１度数（１２５玉）の玉が払出ノズル２６から遊技機１に払出されると共に、液晶表示部２４に表示されている持玉数が更新される。尚、持玉数が１度数未満の場合には全ての持玉数が払出される。遊技者が遊技機１の返却ボタン３２を操作すると、その時点の入金残高・持玉数が記録された一般カード９を発行する（会員カード１０がカード挿入口２９に挿入されている場合は、その会員カード１０に入金残高だけ記録して発行し、持玉数は管理装置５の会員口座の当日貯玉に合算して記憶される）。そして、発行された一般カード９（会員カード１０）を移動先の計数貸出ユニット２に挿入することにより当該一般カード９に記録（会員カード１０の場合は当該会員カード１０に対応して管理装置５に記憶）されている入金残高・持玉数（貯玉数）が表示されるので、その範囲内で玉の貸出、或いは返却を受けて遊技することができる。遊技が終了したときは、遊技機１に設けられている返却ボタン３２を操作することにより一般カード９或いは会員カード１０に情報を記録して返却（発行）することができる。
【００３１】
さて、計数貸出ユニット２において、例えば紙幣処理部３５の読取不良が原因で紙幣が受付けられない場合に、呼出された従業員がやむを得ず他の空いている遊技機１の計数貸出ユニット２に紙幣を投入して入金残高が記録されたカードを発行する場合がある。その際、１度数分の遊技媒体が自動で遊技機１から払出されてしまうため、その遊技媒体を自らの手で移す作業が煩わしい。
【００３２】
このような場合、呼出された従業員は、空いている遊技機１の計数貸出ユニット２のリモコン受光部２８に向けてリモコン２７の図示しない「払出中止」ボタンを操作することにより自動払出禁止指令信号を送信してから、遊技者から預かった紙幣を計数貸出ユニット２に投入する。
【００３３】
計数貸出ユニット２は、リモコン２７から自動払出禁止指令信号を受信してから紙幣を受付けるので、１度数分の遊技媒体を払出すことなく全ての金額を入金残高としてカードに記録して発行する。一般カード９或いは会員カード１０が挿入されている場合は、それらのカードに全ての金額を記録して発行する。カードが挿入されていない場合は、カードストック部３８に収容されている一般カード９をカードリーダライタ３７に繰出し、全ての金額を記録して発行する。この場合、自動払出中止は１回のみ有効であり、全ての金額をカードに記録して発行した後は、自動払出が有効な状態へ復帰する。
そして、遊技者は、上述のように発行されたカードに記録された金額の範囲内で遊技媒体の払出を受けて遊技を継続することができる。
【００３４】
このような実施形態によれば、次のような効果を奏することができる。
計数貸出ユニット２は、従業員が携帯するリモコン２７から自動払出禁止指令信号を受信した後に紙幣が投入された場合には、単位金額分の遊技媒体の自動払出を中止し、投入金額の全てをカードに記録して発行するので、緊急避難的に他の計数貸出ユニット２でカードを発行するときであっても、遊技媒体が払出されてしまうことがなく、煩わしい思いをしなくて済む。この場合、遊技者或いは従業員による返却操作が無くても即座にカードを発行することができるので、使用勝手に優れている。
全ての金額をカードに記録して発行した後は、自動払出が有効な状態へ復帰するので、復帰操作が不要であり、従業員の負担を軽減することができる。
【００３５】
（その他の実施形態）
本発明は、上記実施形態に限定されることなく、次のように変形または拡張したり、各変形例を上記実施形態と組合せたり、各変形例を組合せるようにしてもよい。
リモコン２７から自動払出中止の指令を受けたときは全ての金額をカードに記録して発行するようにしたが、カードに記録するだけで、発行はしなくてもよい。その場合は、返却ボタン３２の操作があったときにカードを発行することになる。
遊技媒体の貸出時は、遊技機内部の払出機構から遊技媒体を払出すようにしたが、計数貸出ユニット２に設けられた払出機構から払出ノズル２６を通じて払出すようにしてもよい。
【００３６】
一般カード９には持玉数及び入金残高を記録するようにしたが、識別情報のみを記憶し、その識別情報に基づいて管理装置５が記録している持玉数及び入金残高を特定するようにしてもよい。
会員カード１０には識別情報のみを記録し、持玉数・貯玉数を記録しないようにしたが、持玉数・貯玉数を会員カード１０にも記録し、管理装置５側が記憶している持玉数・貯玉数と照合した上で持玉・貯玉の払出し、或いは景品交換するようにしてもよい。
記録媒体の形態はカードに限定されず、コイン形状等どのような形態であってもよい。
【符号の説明】
【００３７】
図面中、１は遊技機、２は計数貸出ユニット（遊技媒体貸出装置）、２５は払出ボタン（払出操作手段）、２７はリモコン（携帯端末装置）、３２は返却ボタン（返却操作手段）、３３は制御部（記録媒体処理手段、第１払出手段、第２払出手段、残金額更新手段、発行手段）である。
【図１】
2015205080.tif 000003
【図２】
2015205080.tif 000004
【図３】
2015205080.tif 000005